(57)【要約】【課題】ロータの良好な制動を維持しつつロータの基部側の小型化を図る。【解決手段】アーム部２ｂの基部側に設けられ、ベール支持部材２ｄの反転操作により当該ベール支持部材に連結された連結部材に押圧されて移動する係合部材４０と、リール本体１に設けられ、係合部材４０に押圧される受け部５０と、を備え、係合部材４０は、ベール支持部材２ｄが釣糸放出位置に反転操作された際に、基端部４１が連結部材で押圧されてリール本体１側に移動し、先端部４２が受け部５０に押圧されることでロータ２に制動力を付与するように構成されており、係合部材４０の基端部４１は、先端部４２に対してベール支持部材２ｄ側に配置されている構成とした。【選択図】図４
2011087570.tif 000002
【特許請求の範囲】
【請求項１】
リール本体と、前記リール本体に設けられ、ハンドルの巻き取り操作に連動回転するロータとを有し、
前記ロータのアーム部に、釣糸案内部を有するベール支持部材を釣糸巻取位置と釣糸放出位置とに反転自在に支持した魚釣用スピニングリールにおいて、
前記アーム部の基部側に設けられ、前記ベール支持部材の反転操作により当該ベール支持部材に連結された連結部材に押圧されて移動する係合部材と、
前記リール本体に設けられ、前記連結部材により移動した前記係合部材に押圧される受け部と、を備え、
前記係合部材は、
前記ベール支持部材が釣糸放出位置に反転操作された際に、基端部が前記連結部材で押圧されて前記リール本体側に移動し、先端部が前記受け部に押圧されることで前記ロータに制動力を付与するように構成されており、
前記係合部材の基端部は、当該係合部材の先端部に対して前記ベール支持部材側に配置されていることを特徴とする魚釣用スピニングリール。
【請求項２】
前記係合部材の先端部および前記受け部の少なくともいずれか一方は、凸条先端に向けて先細りとなる形状に形成されていることを特徴とする請求項１に記載の魚釣用スピニングリール。
【請求項３】
前記受け部は、前記係合部材が押圧されて係合する凹凸状とされ、前記先端部が前記受け部に押圧されて係合されることで前記ロータに制動力を付与するように構成されており、
前記係合部材の先端部および前記受け部の少なくともいずれか一方は、前記ロータを釣糸巻き取り方向に回転させる際の噛み合い方向の当接面が、前記ロータの釣糸巻き取り方向において前記ロータの径方向外側へ向けて傾斜状に形成されていることを特徴とする請求項１または請求項２に記載の魚釣用スピニングリール。
【請求項４】
リール本体と、前記リール本体に設けられ、ハンドルの巻き取り操作に連動回転するロータとを有し、
前記ロータのアーム部に、釣糸案内部を有するベール支持部材を釣糸巻取位置と釣糸放出位置とに反転自在に支持した魚釣用スピニングリールにおいて、
前記アーム部の基部側に設けられ、前記ベール支持部材の反転操作により当該ベール支持部材に連結された連結部材に押圧されて移動する係止部材と、
前記リール本体に設けられ、前記係止部材が係止可能な受け部と、を備え、
前記係止部材は、
前記ベール支持部材が釣糸放出位置に反転操作された際に、基端部が前記連結部材で押圧されて前記リール本体側に移動し、先端部が前記受け部に圧接されて係止することで前記ロータに制動力を付与するように構成されており、
前記係止部材の基端部は、当該係止部材の先端部に対して前記ベール支持部材側に配置されていることを特徴とする魚釣用スピニングリール。
【請求項５】
前記受け部は、弾性部材で形成されていることを特徴とする請求項４に記載の魚釣用スピニングリール。
【請求項６】
前記係止部材の先端部は、先端に向けて先細りとなる形状に形成されていることを特徴とする請求項４または請求項５に記載の魚釣用スピニングリール。
【請求項７】
前記リール本体の前後方向における前記受け部の少なくとも一側には、前記リール本体側に移動してきた前記係止部材を前記受け部に導くガイド部が設けられていることを特徴とする請求項４から請求項６のいずれか１項に記載の魚釣用スピニングリール。
【発明の詳細な説明】
【技術分野】
【０００１】
本発明は、魚釣用スピニングリールに関する。
【背景技術】
【０００２】
従来の一般的な魚釣用スピニングリールは、リール本体に回転可能に支持されたロータに釣糸案内部を有するベール支持部材が設けられており、このベール支持部材が釣糸巻取位置から釣糸放出位置へ回転可能に支持された構成となっている。そして、ロータは、ハンドルを回転操作することで、リール本体内に収容された駆動機構を介して回転駆動されるようになっており、また、駆動機構によって往復動されるスプールに対して、釣糸が釣糸案内部を介して巻回されるようになっている。
【０００３】
そして、釣糸放出時には、ベール支持部材を釣糸巻取位置から釣糸放出位置へ反転操作して釣糸を放出し、釣糸放出後には、ベール支持部材を元の釣糸巻取位置に返してハンドルを回転操作することにより釣糸案内部を介してスプールに釣糸が巻回されるようになっている。
【０００４】
ところで、ベール支持部材を反転させた際に、ロータの不要な回転を防止して、釣糸ピックアップ位置の変化や釣糸放出操作時のロータの回転による誤復帰を解消するために、ベール支持部材の反転操作に連動してロータの回転を制動する技術が開示されている（例えば、特許文献１，２参照）。
【０００５】
この技術では、ベール支持部材の反転操作に連動してベール支持部材側からリール本体側に移動する係合部材を設け、この係合部材をリール本体側に設けた環状の制動部材に係合させてロータの回転を制動するように構成されている。
【先行技術文献】
【特許文献】
【０００６】
【特許文献１】特開２０００−１２５７１２号公報
【特許文献２】特開２００４−１４１１４４号公報
【発明の概要】
【発明が解決しようとする課題】
【０００７】
前記した特許文献１の魚釣用スピニングリールでは、係合部材の作動軸上に係合部材を作動させるためのカム部材が配置されており、このカム部材にキックレバーを当接させて係合部材を作動させている。したがって、ロータの基部側（後部側）において、これらの部材を作動軸上に収容するためのスペースが必要であった。このため、ロータの基部側がリール本体の径方向に張り出す形状となり、このような張り出しを解消したコンパクト化が望まれていた。
【０００８】
また、特許文献２の魚釣用スピニングリールでは、係合部材がロータのアーム部内で直角に折曲されて制動部材に向かう構造とされており、このものもロータの基部側において直角に折曲された係合部材を収容するための大きなスペースが必要であった。このため、ロータがリール本体の径方向に張り出して大型化するという問題があった。
【０００９】
本発明は、前記問題を解決するためになされたものであり、ロータの良好な制動を維持しつつロータの基部側の小型化を図ることができる魚釣用スピニングリールを提供することを課題とする。
【課題を解決するための手段】
【００１０】
このような課題を解決する本発明の魚釣用スピニングリールは、リール本体と、前記リール本体に設けられ、ハンドルの巻き取り操作に連動回転するロータとを有し、前記ロータのアーム部に、釣糸案内部を有するベール支持部材を釣糸巻取位置と釣糸放出位置とに反転自在に支持した魚釣用スピニングリールにおいて、前記アーム部の基部側に設けられ、前記ベール支持部材の反転操作により当該ベール支持部材に連結された連結部材に押圧されて移動する係合部材と、前記リール本体に設けられ、前記連結部材により移動した前記係合部材に押圧される受け部と、を備え、前記係合部材は、前記ベール支持部材が釣糸放出位置に反転操作された際に、基端部が前記連結部材で押圧されて前記リール本体側に移動し、先端部が前記受け部に押圧されることで前記ロータに制動力を付与するように構成されており、前記係合部材の基端部は、当該係合部材の先端部に対して前記ベール支持部材側に配置されていることを特徴とする。
【００１１】
この魚釣用スピニングリールによれば、係合部材の基端部が、係合部材の先端部に対してベール支持部材側に配置されているので、係合部材の先端部よりもリール本体のベール支持部材側（ロータの前側、リール本体の前側）にオフセットした位置で、係合部材を連結部材で押圧することができる。したがって、その分、ロータの基部側（後端側）における係合部材の張り出しを排除することができる。
【００１２】
また、本発明は、前記係合部材の先端部および前記受け部の少なくともいずれか一方は、凸条先端に向けて先細りとなる形状に形成されていることを特徴とする。
【００１３】
この魚釣用スピニングリールによれば、係合部材の先端部および受け部の少なくともいずれか一方は、凸条先端に向けて先細りとなる形状に形成されているので、係合時に係合部材と受け部とが点接触あるいは線接触することとなり、先細りとなる形状とされた側の傾斜面に沿った方向に係合部材と受け部とを相互に逃がすことができる。
【００１４】
また、本発明は、前記受け部は、前記係合部材が押圧されて係合する凹凸状とされ、前記先端部が前記受け部に押圧されて係合されることで前記ロータに制動力を付与するように構成されており、前記係合部材の先端部および前記受け部の少なくともいずれか一方は、前記ロータを釣糸巻き取り方向に回転させる際の噛み合い方向の当接面が、前記ロータの釣糸巻き取り方向において前記ロータの径方向外側へ向けて傾斜状に形成されていることを特徴とする。
【００１５】
この魚釣用スピニングリールによれば、係合部材と受け部とが係合した状態において、ロータを釣糸巻き取り方向に回転させると、傾斜状の当接面に沿って係合部材がリール本体側からロータ側に押し出されて移動するようになり、係合部材と受け部との係合を解除することができる。
【００１６】
また、前記課題を解決する本発明の魚釣用スピニングリールは、リール本体と、前記リール本体に設けられ、ハンドルの巻き取り操作に連動回転するロータとを有し、前記ロータのアーム部に、釣糸案内部を有するベール支持部材を釣糸巻取位置と釣糸放出位置とに反転自在に支持した魚釣用スピニングリールにおいて、前記アーム部の基部側に設けられ、前記ベール支持部材の反転操作により当該ベール支持部材に連結された連結部材に押圧されて移動する係止部材と、前記リール本体に設けられ、前記係止部材が係止可能な受け部と、を備え、前記係止部材は、前記ベール支持部材が釣糸放出位置に反転操作された際に、基端部が前記連結部材で押圧されて前記リール本体側に移動し、先端部が前記受け部に圧接されて係止することで前記ロータに制動力を付与するように構成されており、前記係止部材の基端部は、当該係止部材の先端部に対して前記ベール支持部材側に配置されていることを特徴とする。
【００１７】
この魚釣用スピニングリールによれば、係止部材の基端部が、係止部材の先端部に対してベール支持部材側に配置されているので、係止部材の先端部よりもリール本体のベール支持部材側（ロータの前側、リール本体の前側）にオフセットした位置で、係止部材を連結部材で押圧することができる。したがって、その分、ロータの基部側（後端側）における係止部材の張り出しを排除することができる。
【００１８】
また、本発明は、前記受け部が、弾性部材で形成されていることを特徴とする。
この魚釣用スピニングリールによれば、受け部が弾性部材で形成されているので、係止部材の先端部が受け部に圧接されると、受け部に対して係止部材が喰い込むようにして係止されることとなる。
【００１９】
また、本発明は、前記係止部材の先端部が、先端に向けて先細りとなる形状に形成されていることを特徴とする。
この魚釣用スピニングリールによれば、係止時に係止部材を受け部に圧接すると、先端部へ向けて先細りとされた先端部が、受け部の表面を押圧しながら受け部に喰い込むようにして係止される。
【００２０】
また、本発明は、前記リール本体の前後方向における前記受け部の少なくとも一側に、前記リール本体側に移動してきた前記係止部材を前記受け部に導くガイド部が設けられていることを特徴とする。
【００２１】
この魚釣用スピニングリールによれば、ガイド部に導かれて、係止部材が受け部に確実に圧接するようになる。
【発明の効果】
【００２２】
本発明によれば、係合部材は、ベール支持部材が釣糸放出位置に反転した際、基端部が連結部材で押圧されてリール本体側に移動し、先端部が受け部に押圧されることでロータに制動力を付与するように構成されているので、ベール支持部材を反転操作することによりロータを良好に制動することができる。
また、係合部材の先端部よりもリール本体の前側（ベール支持部材側）にオフセットした位置で、係合部材を連結部材で押圧することができ、その分、ロータの基部側（後端側）における係合部材の張り出しを排除することができるので、ロータの基部側の形状をこれに合わせて小型化することができ、ロータのコンパクト化、ひいては魚釣用スピニングリールのコンパクト化を図ることができる。
【００２３】
また、係合部材の先端部および受け部の少なくともいずれか一方を、凸条先端に向けて先細りとなる形状に形成することで、係合部材と受け部とが当接したときに、先細りとなる形状とされた側の傾斜面に沿った方向に係合部材と受け部とを相互に逃がすことができるので、係合部材と受け部との押圧による係合を円滑に行うことができ、ベールの開放を確実に行うことができる。
これによって、ベール支持部材を確実に反転操作することができ、ベール支持部材が釣糸巻取位置に誤復帰してしまうのを防止することができる。
また、係合時には、係合部材と受け部とが点接触あるいは線接触することとなるので、係合部材と受け部との係合を解除し易く、ベールを釣糸放出位置から釣糸巻取位置に好適に返すことができる。
【００２４】
また、係合部材の先端部および受け部の少なくともいずれか一方が前記のように傾斜状に形成されている構成では、ロータを釣糸巻き取り方向に回転させることで、係合部材と受け部との押圧による係合を好適に解除することができ、円滑な巻き取りが可能となる。
また、係合部材が受け部内に強い摩擦力をもって噛み合うような事態が生じることがなくなり、係合部材や受け部が損傷することもない。
また、係合部材と受け部との係合を解除するための部材、例えば、戻しバネ等の部材を強いバネ力のものとする必要がなく、これを収容するロータの大型化や重量の増大を防止できる。このことは、ロータの重量バランスをとることやベールの操作性の向上に寄与する。
【００２５】
また、係止部材と、この係止部材が係止可能な受け部と、を備えた魚釣用スピニングリールにおいても、係止部材は、ベール支持部材が釣糸放出位置に反転した際、基端部が連結部材で押圧されてリール本体側に移動し、先端部が受け部に係合することでロータに制動力を付与するように構成されているので、ベール支持部材を反転操作することによりロータを良好に制動することができる。
また、係止部材の先端部よりもリール本体の前側（ベール支持部材側）にオフセットした位置で、係止部材を連結部材で押圧することができ、その分、ロータの基部側（後端側）における係止部材の張り出しを排除することができるので、ロータの基部側の形状をこれに合わせて小型化することができ、ロータのコンパクト化、ひいては魚釣用スピニングリールのコンパクト化を図ることができる。
【００２６】
また、受け部が弾性部材で形成されている構成では、係止部材の先端部が受け部に圧接されると、受け部に対して係止部材が喰い込むようにして係止されるので、制動性が高まるという利点が得られる。
しかも、受け部に対して係止部材が喰い込むようにして係止されるので、受け部における少なくとも係止部材の圧接される面を、例えば、凹凸のない面とすることができる。また、凹凸のない面とすることができるので、受け部が凹凸状とされている場合に比べて、形状が簡単であり、受け部の形成や組み付けが行い易い。
また、弾性部材で形成された受け部に対して係止部材が係止される構成であるので、受け部に対して係止部材を圧接させつつ制動力が生じている状態のまま、手動でロータを回動させることも可能である。したがって、ベール支持部材を反転させたまま、ロータを回動させて釣糸ピックアップ位置の調整を行うことが可能であり、使い勝手のよい魚釣用スピニングリールが得られる。
【００２７】
また、係止部材の先端部が先端に向けて先細りとなる形状に形成されている構成では、先端部が、受け部の表面を押圧しながら喰い込むようにして係止されるので、制動性が安定する。また、係止解除時には、先端部の前記形状によって、受け部から係止部材が離脱し易くなり、ベール支持部材の、釣糸放出位置から釣糸巻取位置への復帰もスムーズとなる。
【００２８】
また、リール本体の前後方向における受け部の少なくとも一側にガイド部が設けられている構成では、ガイド部に導かれて、係止部材が受け部に確実に圧接されるようになり、ロータを確実に制動することができる。
また、ガイド部はリール本体の前後方向における受け部の少なくとも一側に設けられているので、例えば、リール本体の前後方向において係止部材と受け部との相対位置にずれが生じた場合にも、係止部材を受け部に好適に圧接させることができる。
また、弾性部材で形成された受け部において、係止部材の圧接による受け部の変形をガイド部で好適に抑えることができる。また、係止部材に対する弾性部材の反力を高めることができる。
したがって、受け部から係止部材が離脱し易くなり、ベール支持部材の、釣糸放出位置から釣糸巻取位置への復帰もスムーズとなる。
【図面の簡単な説明】
【００２９】
【図１】本発明の第１実施形態に係る魚釣用スピニングリールの全体構成を示す図である。
【図２】（ａ）は釣糸巻取位置のアーム部の様子を示した側面図、（ｂ）は釣糸放出位置のアーム部の様子を示した側面図である。
【図３】（ａ）は釣糸巻取位置における付勢機構の様子を示した説明図、（ｂ）は釣糸放出位置における付勢機構の様子を示した説明図である。
【図４】アーム部の拡大断面図である。
【図５】（ａ）は図１のＡ−Ａ線断面図、（ｂ）は釣糸放出位置における係合部材の様子を示した拡大断面図、（ｃ）は釣糸巻取位置における係合部材の様子を示した拡大断面図、（ｄ）は受け部から係合部材が押し出される様子を示した模式図である。
【図６】本発明の第２実施形態に係る魚釣用スピニングリールの全体構成を示す図である。
【図７】アーム部の拡大断面図である。
【図８】（ａ）は釣糸巻取位置における付勢機構の様子を示した説明図、（ｂ）は釣糸放出位置における付勢機構の様子を示した説明図である。
【図９】（ａ）は図６のＢ−Ｂ線断面図、（ｂ）は釣糸放出位置における係合部材の様子を示した拡大断面図、（ｃ）は釣糸巻取位置における係合部材の様子を示した拡大断面図、（ｄ）は受け部から係合部材が押し出される様子を示した模式図である。
【図１０】（ａ）（ｂ）は受け部およびその周辺の構造の変形例を示す拡大断面図である。
【図１１】本発明の第３実施形態に係る魚釣用スピニングリールの全体構成を示す図である。
【図１２】アーム部の基端側と受け部との拡大断面図である。
【図１３】（ａ）は図１１のＣ−Ｃ線断面図、（ｂ）は釣糸放出位置における係合部材の様子を示した拡大断面図、（ｃ）は釣糸巻取位置における係合部材の様子を示した拡大断面図である。
【図１４】（ａ）〜（ｅ）は受け部およびその周辺の構造の変形例を示す拡大断面図である。
【発明を実施するための形態】
【００３０】
以下、本発明に係る魚釣用スピニングリールの実施形態について図面を参照しながら説明する。各実施形態において、同一の部分には同一の符号を付し、重複する説明は省略する。なお、以下の説明において、「前後」を言うときは、図１に示した方向を基準とする。
【００３１】
（第１実施形態）
図１に示すように、主として、魚釣用スピニングリールは、図示しない釣竿に装着するための脚部１Ａが形成されたリール本体１と、リール本体１の前方に回転可能に設けられたロータ２と、このロータ２の回転運動と同期して前後方向移動可能に設けられたスプール３とを有して構成される。
【００３２】
リール本体１には、図示しない軸受を介してハンドル軸４が回転可能に支持されており、その図示しない突出端部には、巻き取り操作されるハンドル５が取り付けられている。ハンドル軸４には、図示しない軸筒が、回り止めされて固定されている。この軸筒には、ロータ２を巻き取り駆動するための内歯が形成されたドライブギヤ６が一体的に形成されている。このドライブギヤ６は、ハンドル軸４と直交する方向に延出するとともに内部に軸方向に延出する空洞部を有する駆動軸筒８のピニオンギヤ８ａに噛合している。
【００３３】
駆動軸筒８は、軸受を介して回転可能に支持されており、その空洞部には、ハンドル軸４と直交する方向に延出し、先端側にスプール３を取り付けたスプール軸９が、軸方向に移動可能に挿通され、支持されている。
【００３４】
スプール軸９の後端部には、スプール軸９を前後動させるためのオシレーティング機構が設けられている。オシレーティング機構は、少なくとも、ドライブギヤ６の歯車６ａに噛合する連動歯車６ｂに設けられた偏芯突部７ａと、スプール軸９の後端部に取り付けられた摺動子７と、この摺動子７に設けられ、偏芯突部７ａと係合する案内溝７ｂと、摺動子７と係合して摺動子７の往復動を案内する図示しないガイドと、を含んで構成されている。
【００３５】
駆動軸筒８はスプール３側に向けて延出しており、その前端部において、ナット９ｂを介してロータ２が取り付けられている。また、駆動軸筒８には、その中間部分に転がり式の一方向クラッチ１０が取り付けられており、リール本体１の外部に取り付けられた図示しない切換部材を回動操作することで、一方向クラッチ１０を作動状態と非作動状態とに切り換えるように構成されている。この場合、切換部材を作動状態に切り換えることで、ハンドル５（ロータ２）の逆転方向の回転（釣糸放出方向の回転）が防止されるようになっている。
【００３６】
ロータ２は、スプール３のスカート部３ａ内に位置する円筒部２ａと、一対のアーム部２ｂ，２ｃを具備している。各アーム部２ｂ，２ｃの前端部には、ベール支持部材２ｄ，２ｅが釣糸巻取位置と釣糸放出位置との間で回動自在に支持されており、これらのベール支持部材２ｄ，２ｅ間には、放出状態にある釣糸をピックアップするベール２ｆ（図２（ａ）（ｂ）参照、以下同じ）が配設されている。ベール２ｆは、一方の基端部がベール支持部材２ｄに一体的に設けられた釣糸案内部２ｇに取り付けられており、他方の基端部がベール支持部材２ｅに取り付けられている。
【００３７】
スプール３は、スカート部３ａと前側フランジ３ｂとの間に図示しない釣糸が巻回される釣糸巻回胴部３ｃを備えており、スプール軸９に図示しないドラグ機構を介して摩擦結合され、ノブ９ａを回動操作することでスプール３のドラグ力が調節される。
【００３８】
このような構成によって、ハンドル５を巻き取り操作することで、ロータ２がドライブギヤ６およびピニオンギヤ８ａを介して回転駆動され、かつスプール３がピニオンギヤ８ａおよびオシレーティング機構を介して前後動され、図示しない釣糸は、釣糸案内部２ｇを介してスプール３の釣糸巻回胴部３ｃに均等に巻回される。
【００３９】
そして、ベール支持部材２ｄ，２ｅは、アーム部２ｂに設けられた付勢機構３０によって、釣糸巻取位置（図２（ａ），図３（ａ）参照）または釣糸放出位置（図２（ｂ），図３（ｂ）参照）に保持されようになっている。
付勢機構３０は、図３（ａ）に示すように、支軸３１を介してアーム部２ｂに揺動可能に取り付けられた筒状の揺動部材３２と、ベール支持部材２ｄと揺動部材３２とを接続し、かつ揺動部材３２と協働してベール支持部材２ｄを２つの位置に振り分ける振り分け部材３３と、振り分け部材３３と揺動部材３２との間に介挿された振分け付勢バネ３４とを備えている。
そして、このような付勢機構３０を有するベール支持部材２ｄの後端には、揺動部材３２の後端部に押圧されて移動する係合部材４０が設けられ、また、図４に示すように、係合部材４０に対向するリール本体１側には、ベール支持部材２ｄ，２ｅが釣糸放出位置にある状態で係合部材４０が係合する凹凸状の受け部５０が設けられており、後記するように、ベール支持部材２ｄが釣糸放出位置に反転操作された際に、係合部材４０が受け部５０に押圧されて係合することでロータ２に制動力が付与されるように構成されている。
ここで、揺動部材３２は、特許請求の範囲に言う「連結部材」に相当する。
【００４０】
ベール支持部材２ｄは、図３（ａ）に示すように、その基端がピン３５によって軸支され、アーム部２ｂに設けられた図示しない規制部によって、２つの位置（釣糸巻取位置、釣糸放出位置）の間を回動可能に設けられている。また、振り分け部材３３は、その先端部３３ａがピン３５の中心から偏心した位置でベール支持部材２ｄの基部に回動可能に接続され、他端部３３ｂ側が揺動部材３２の筒状部内に挿入されている。
また、振り分け部材３３の外周には振分け付勢バネ３４が巻装されており、振分け付勢バネ３４は、一端側が、振り分け部材３３に形成されたバネ受け部３３ｃで受けられているとともに、他端側が、揺動部材３２の筒状部内に挿入されて内側の段差部３３ｄで受けられている。
【００４１】
図２（ａ），図３（ａ）は、ベール支持部材２ｄが振分け付勢バネ３４の付勢力によって釣糸巻取位置に振り分け保持された状態を示しており、この状態において、振分け付勢バネ３４は、ベール支持部材２ｄに対し、これを図３（ａ）中においてピン３５の反時計回りに回転させる方向で付勢力を付与している。この釣糸巻取位置から、手動でベール２ｆおよびベール支持部材２ｄ，２ｅ（図１参照、以下同じ）を振分け付勢バネ３４の付勢力に抗して図３（ａ）中時計回り方向に回動させると、振り分け部材３３は、ベール支持部材２ｄとともに移動しながら、振分け付勢バネ３４を圧縮させつつ支軸３１を中心に反時計回りに揺動する。
そして、図３（ｂ）に示すように、付勢機構３０のデッドポイントを越える領域までベール支持部材２ｄが時計回りに回動された時点で、振分け付勢バネ３４は、ベール支持部材２ｄに対しこれを図中時計回りに回転させる方向（釣糸放出位置へ回動させる方向）で付勢力を付与するようになり、その後、ベール支持部材２ｄは、振分け付勢バネ３４の付勢力によって、釣糸放出位置に保持される。
【００４２】
逆に、釣糸放出位置から、手動でベール支持部材２ｄを振分け付勢バネ３４の付勢力に抗して回動させ、付勢機構３０のデッドポイントを越える領域までベール支持部材２ｄが反時計回りに回動された時点で、振分け付勢バネ３４は、ベール支持部材２ｄに対しこれを図中反時計回りに回転させる方向（釣糸巻取位置へ回動させる方向）で付勢力を付与するようになり、その後、ベール支持部材２ｄは、振分け付勢バネ３４の付勢力によって、釣糸巻取位置に保持される。
【００４３】
揺動部材３２の後端部には、図４に示すように、係合部材４０の基端部４１が当接しており、揺動部材３２の前記した揺動に伴って揺動部材３２が係合部材４０の基端部４１を押圧するようになっている。そのための構成として、揺動部材３２の後端部には、係合部材４０の基端部４１を逃がす凹部３２ａが設けられている。ここで、ベール支持部材２ｄが釣糸巻取位置にあるときには、図５（ａ）に示すように、凹部３２ａ内に基端部４１が収容されて（逃がされて）おり、基端部４１に対して揺動部材３２の押圧力が作用しないようになっている。そして、この状態からベール支持部材２ｄが釣糸放出位置に反転操作されると、図５（ｂ）に示すように、揺動部材３２の揺動（図中Ｘ１方向の移動）に伴って基端部４１が凹部３２ａ外に押し出されるようにして移動し、基端部４１に押圧力が付与されるようになっている。
【００４４】
係合部材４０は、図４に示すように、ロータ２のアーム部２ｂの後端部に配設された、側面視で略く字状を呈する棒状の部材である。係合部材４０は、アーム部２ｂの後端に設けられたガイド部４５に先端部４２側が挿通されて支持されており、支持された状態で基端部４１が揺動部材３２の後端部に当接するように構成されている。なお、ガイド部４５に挿通された状態で、係合部材４０の先端部４２側の軸線Ｏ１は、スプール軸９の軸線（不図示）に対して直交している。また、係合部材４０の基端部４１側の軸線Ｏ２は、先端部４２側の軸線Ｏ１に対してリール本体１の前方へ傾斜している。
【００４５】
係合部材４０の先端部４２は、凸条先端に向けて先細りとなる略円錐形状とされている。そして、係合部材４０は、先端部４２側に挿通された圧縮コイルバネ４４（戻しバネ）で基端部４１側（揺動部材３２の後端部側、受け部５０から離れる側）に向けて付勢されている。
ここで、係合部材４０の基端部４１と先端部４２との位置関係を説明すると、係合部材４０の基端部４１は、係合部材４０の先端部４２に対してベール支持部材２ｄ側（ロータ２の前側、リール本体１の前側）に配置されている。つまり、係合部材４０の先端部４２よりもリール本体１のベール支持部材２ｄ側（ロータ２の前側、リール本体１の前側）にオフセットした位置で、係合部材４０が揺動部材３２の後端部で押圧されるようになっている。
【００４６】
このような係合部材４０は、ベール支持部材２ｄが釣糸放出位置に反転操作された際に、基端部４１が前記のように揺動部材３２の後端部で押圧されてリール本体１側に移動（突出、図５（ｂ）参照）し、先端部４２が受け部５０に係合することでロータ２に制動力を付与するようになっている。
また、係合部材４０は、ベール支持部材２ｄが釣糸巻取位置に反転された際に、圧縮コイルバネ４４の付勢力によって基端部４１が揺動部材３２の凹部３２ａに収容され（図５（ｃ）参照）、受け部５０から離れる側に移動されることで、受け部５０との係合を解除する。
【００４７】
受け部５０は、図５各図に示すように、山部５１ａ（凸状部）と谷部５１ｂとが円環状に複数連続した歯部からなる。受け部５０は、図４に示すように、樹脂製の円筒部材１ｃに一体的に形成されており、円筒部材１ｃは、リール本体１の前部に設けられた円形のフランジ部１ａにシール部材１ｂを介して装着されている。
【００４８】
図５各図に示すように、受け部５０の山部５１ａは、谷部５１ｂに向けて傾斜する傾斜面５２を有しており、ロータ２の軸方向から見たときに、先端部（凸条先端）に向けて（ロータ２の径方向外側に向けて）先細りとなる形状に形成されている。そして、係合部材４０は、このような受け部５０に対し、隣接する山部５１ａ，５１ａの間において傾斜面５２に当接する状態に係合するようになっている（図５（ｂ）参照）。
ここで、前記した係合部材４０の先端部４２の傾斜面、および受け部５０の山部５１ａの傾斜面５２は、いずれも、ロータ２を釣糸巻き取り方向に回転させる際の噛み合い方向（図５（ｂ）中矢印Ｘ３方向）の当接面（対向面）が、ロータ２の釣糸巻き取り方向において、ロータ２の径方向外側へ向けて傾斜状に形成されている。
なお、本実施形態では、受け部５０を、樹脂材で形成したが、これに限られることはなく、合成ゴムや金属等で形成してもよい。
また、受け部５０の歯すじ方向の寸法や歯厚方向の寸法は適宜設定することができる。
なお、リール本体１の前端部には、図１に示すように、防水パッキン１ｄを介してキャップ１ｅが装着されており、キャップ１ｅは図示しないねじ等の固定手段によってリール本体１側に固定されている。
【００４９】
次に、以上のような構成を備えた魚釣用スピニングリールの作用について説明する。
仕掛けを投擲するに際して、ベール２ｆおよびベール支持部材２ｄ（２ｅ）を図２（ａ）に示す釣糸巻取位置から図２（ｂ）に示す釣糸放出位置に回動すると、図３（ａ）に示すように、振り分け部材３３が、ベール支持部材２ｄとともに移動しながら、振分け付勢バネ３４を圧縮させつつ支軸３１を中心に反時計回りに揺動する。そして、図３（ｂ）に示すように、付勢機構３０のデッドポイントを越える領域までベール支持部材２ｄが時計回りに回動されると、ベール支持部材２ｄは、振分け付勢バネ３４の付勢力によって、釣糸放出位置に保持される。
【００５０】
このような釣糸巻取位置から釣糸放出位置への反転操作において、揺動部材３２の後端部は、図５（ａ）に示す状態から図５（ｂ）に示す状態に揺動（矢印Ｘ１方向に移動）し、係合部材４０の基端部４１を押圧する。
すなわち、図５（ａ）に示すように、釣糸巻取位置おいては、係合部材４０の基端部４１が揺動部材３２の基端部の凹部３２ａ内に逃がされており、係合部材４０に対して揺動部材３２からの押圧力が作用することがなく、係合部材４０の先端部４２は、受け部５０の径方向外側に離間した位置に配置されている。
【００５１】
そして、この釣糸巻取位置から釣糸放出位置へ反転操作されると、図５（ｂ）に示すように、揺動部材３２の揺動に伴って基端部４１が凹部３２ａ外に押し出されるようにして移動し、基端部４１に押圧力が付与される。そうすると、係合部材４０は、圧縮コイルバネ４４の付勢力に抗してリール本体１側に移動し、先端部４２が受け部５０に向けて進入し先端部４２が受け部５０に係合する。これによって、ロータ２に制動力が付与され、ロータ２の不要な回転が防止されて、釣糸ピックアップ位置の変化や釣糸放出操作時のロータ２の回転による誤復帰が解消される。
【００５２】
一方、釣糸放出位置から釣糸巻取位置への反転操作を行うと、揺動部材３２の後端部は、図５（ｂ）に示す状態から図５（ｃ）に示す状態に揺動（矢印Ｘ２方向に移動）し、これによって、揺動部材３２の後端部によって係合部材４０が押圧される状態が解除される。
すなわち、係合部材４０は、ベール支持部材２ｄが釣糸巻取位置に反転された際に、圧縮コイルバネ４４の付勢力によって基端部４１が揺動部材３２の凹部３２ａに収容され（逃がされ）、受け部５０から離れる側に移動されることで、受け部５０との係合が解除される。これによってロータ２に付与されていた制動力がなくなる。
【００５３】
以上説明した本実施形態の魚釣用スピニングリールによれば、係合部材４０は、ベール支持部材２ｄが釣糸放出位置に反転した際、基端部４１が揺動部材３２の後端部で押圧されてリール本体１側に移動し、先端部４２が受け部５０に押圧されて係合することでロータ２に制動力を付与するように構成されているので、ベール支持部材２ｄを反転操作することによりロータ２を良好に制動することができる。
【００５４】
また、係合部材４０の基端部４１が、係合部材４０の先端部４２に対してベール支持部材２ｄ側に配置されているので、係合部材４０の先端部４２よりもリール本体１のベール支持部材２ｄ側（ロータ２の前側、リール本体１の前側）にオフセットした位置で、係合部材４０を揺動部材３２の後端部で押圧することができる。したがって、その分、ロータ２の基部側（後端側）における係合部材４０の張り出しを排除することができ、ロータ２の基部側（後端側）の形状をこれに合わせて小型化することができ、ロータ２のコンパクト化、ひいては魚釣用スピニングリールのコンパクト化を図ることができる。
【００５５】
また、係合部材４０は、くの字状に形成されており、先端部４２側が受け部５０に対して直交する方向に移動して先端部４２が受け部５０に係合するように構成されているので、係合部材４０および受け部５０が偏って磨耗したり、偏って変形したりすることがなくなり、長期間に亘って安定した品質を保持することができる。
【００５６】
また、係合部材４０の先端部４２および受け部５０の山部５１ａは、いずれも、先端に向けて先細りとなる形状に形成されているので、係合時に係合部材４０と受け部５０とが点接触あるいは線接触することとなり、係合部材４０の先端部４２の傾斜面または受け部５０の山部５１ａの傾斜面５２に沿った方向に係合部材４０と受け部５０とを相互に逃がすことができる。
これによって、係合部材４０と受け部５０との係合を円滑に行うことができ、ベール２ｆの開放を確実に行うことができる。
これによって、ベール支持部材２ｄを確実に反転操作することができ、ベール支持部材２ｄが釣糸巻取位置に誤復帰してしまうのを防止することができる。
なお、本実施形態では、係合部材４０の先端部４２および受け部５０の山部５１ａの両方を先細りとなる形状に形成したが、これに限られることはなく、いずれか一方のみを先細りとなる形状に形成してもよい。この場合にも、いずれか一方の傾斜面に沿った方向に係合部材４０および受け部５０を相互に逃がすことができ、係合部材４０と受け部５０との係合を円滑に行うことができる。
【００５７】
また、係合部材４０の先端部４２および受け部５０の山部５１ａの傾斜面５２は、ロータ２を釣糸巻き取り方向に回転させる際の噛み合い方向（図５（ｂ）中矢印Ｘ３方向）のの当接面（対向面）が、ロータ２の釣糸巻き取り方向においてロータ２の径方向外側へ向けて傾斜状に形成されているので、係合部材４０と受け部５０とが係合した状態において、ロータ２を釣糸巻き取り方向に回転させると、図５（ｄ）に示すように、傾斜状の前記した当接面に沿って係合部材４０がリール本体１側からロータ２側に押し出されて移動する（図中Ｙ１方向に移動する）ようになり、係合部材４０と受け部５０との係合を解除することができる。
これによって、ロータ２を釣糸巻き取り方向に回転させることで、係合部材４０と受け部５０との係合を好適に解除することができ、円滑な巻き取りが可能となる。
また、係合部材４０が受け部５０内に強い摩擦力をもって噛み合うような事態が生じることがなくなり、係合部材４０や受け部５０が損傷することもない。
また、係合部材４０と受け部５０との係合を解除するための部材、例えば、圧縮コイルバネ４４を強いバネ力のものとする必要がなく、これを収容するロータ２の大型化や重量の増大を防止できる。このことは、ロータ２の重量バランスをとることやベール２ｆの操作性の向上に寄与する。
【００５８】
（第２実施形態）
本実施形態では、図６，図７，図８に示すように、係合部材４０Ａが直線状とされている点が前記第１実施形態と異なっている。
図７に示すように、係合部材４０Ａは、軸線Ｏ３方向の両端に基端部４１および先端部４２を有する棒状の部材である。係合部材４０Ａは、アーム部２ｂの後端に設けられた傾斜状のガイド部４５Ａに先端部４２側が挿通されて支持されており、支持された状態で基端部４１が揺動部材３２の後端部に当接するように構成されている。なお、ガイド部４５Ａに挿通された状態で、係合部材４０Ａの軸線Ｏ３は、スプール軸９の軸線（不図示）に直交する図示しない法線に対してロータ２（リール本体１）の前方へ傾斜している。
【００５９】
係合部材４０Ａの先端部４２は、前記実施形態と同様に、先端に向けて先細りとなる略円錐形状とされ、先端部４２側に挿通された圧縮コイルバネ４４で基端部４１側（揺動部材３２の後端部側）に向けて付勢されている。
ここで、係合部材４０Ａの基端部４１と先端部４２との位置関係を説明すると、前記のようにロータ２（リール本体１）の前方へ係合部材４０Ａが傾斜して配置されていることから、係合部材４０Ａの基端部４１は、係合部材４０Ａの先端部４２に対してベール支持部材２ｄ側（ロータ２の前側、リール本体１の前側）に配置されている。つまり、係合部材４０Ａの先端部４２よりもリール本体１のベール支持部材２ｄ側（ロータ２の前側、リール本体１の前側）にオフセットした位置で、係合部材４０Ａが揺動部材３２の後端部で押圧されるようになっている。
【００６０】
このような係合部材４０Ａを用いた魚釣用スピニングリールにおいても、前記第１実施形態で得られる作用効果と同様の作用効果が得られる。
そして、さらに、係合部材４０Ａがロータ２（リール本体１）の前方へ傾斜して配置されているので、先端部４２は、図７に示すように、受け部５０に対して前方から傾斜して係合するようになり、その分、第１実施形態のものに比べて接触部分（接触部分の面積）を小さくすることができ、これによって、係合部材４０Ａと受け部５０との係合を解除し易く、ベール２ｆを釣糸放出位置から釣糸巻取位置により好適に戻すことができる。
したがって、係合部材４０Ａが受け部５０内に強い摩擦力をもって噛み合うような事態が生じ難くなり、係合部材４０Ａや受け部５０が損傷するのを好適に阻止することができる。したがって、長期間に亘って安定した品質を保持することができる魚釣用スピニングリールが得られる。
【００６１】
図９（ａ）〜（ｃ）は前記した第１，第２実施形態の魚釣用スピニングリールの変形例を示す図である。図９各図に示すように、この変形例の係合部材４０Ｂは、先端部４２の一側面側が傾斜状に切り欠かれて先細りとなる形状に形成されており、この切り欠かれた一側面側が、ロータ２を釣糸巻き取り方向に回転させる際の受け部５０Ｂとの噛み合い方向（図９（ｂ）中矢印Ｘ３方向）の当接面（対向面）となるように構成してある。
また、受け部５０Ｂは、ラチェット状の歯部を有するように形成されており、図９（ｄ）に示すように、ロータ２を釣糸巻き取り方向に回転させる際の噛み合い方向の当接面となる傾斜面５２ａが、これとは反対側となる傾斜面５２ｂよりもロータ２の径方向外側へ向けて大きく傾斜するように形成されている。
【００６２】
このような魚釣用スピニングリールにおいても、係合部材４０Ｂは、先端部４２が先細りとなる形状に形成されているので、係合時に係合部材４０Ｂと受け部５０Ｂとが点接触あるいは線接触することとなり、係合部材４０Ｂの先端部４２の傾斜面または受け部５０Ｂの山部５１ａの傾斜面５２ａに沿った方向に係合部材４０Ｂと受け部５０Ｂとを相互に逃がすことができる。
これによって、係合部材４０Ｂと受け部５０Ｂとの係合を円滑に行うことができ、ベール２ｆ（図１参照）の開放を確実に行うことができる。
また、係合時には、係合部材４０Ｂと受け部５０Ｂとが点接触あるいは線接触することとなるので、係合部材４０Ｂと受け部５０Ｂとの係合を解除し易く、ベール２ｆを釣糸放出位置から釣糸巻取位置に好適に返すことができる。
【００６３】
また、係合部材４０Ｂの先端部４２および受け部５０Ｂの山部５１ａの傾斜面５２ａは、ロータ２を釣糸巻き取り方向に回転させる際の噛み合い方向（図５（ｂ）中矢印Ｘ３方向）の当接面（対向面）が、ロータ２の釣糸巻き取り方向においてロータ２の径方向外側へ向けて傾斜状に形成されているので、係合部材４０Ｂと受け部５０Ｂとが係合した状態において、ロータ２を釣糸巻き取り方向に回転させると、図５（ｄ）に示すように、傾斜状の前記した当接面に沿って係合部材４０Ｂがリール本体１側からロータ２側に押し出されて移動する（図中Ｙ１方向に移動する）ようになり、係合部材４０Ｂと受け部５０Ｂとの係合を解除することができる。
【００６４】
なお、前記第１，第２実施形態では、受け部５０（５０Ｂ）を樹脂製の円筒部材１ｃに一体的に形成したものを示したが、これに限られることはなく、円筒部材１ｃと別体に受け部５０（５０Ｂ）を形成してもよい。
また、図１０（ａ）に示すように、受け部５０を、防水性を有する合成ゴム等の部材で形成して、これをリール本体１のフランジ部１ａに外嵌し、受け部５０の基部５３の前端部をキャップ１ｅで抜け止め保持するようにしてもよい。この場合、フランジ部１ａとキャップ１ｅとの当接部にねじを形成して、これらを螺合により固着するように構成してもよい。
また、図１０（ｂ）に示すように、防水性が不要である場合には、リール本体１のフランジ部１ａに合成ゴム等の部材で形成した受け部５０を外嵌し、受け部５０の基部５４の前端部を金属リング５５で固定するようにしてもよい。
【００６５】
また、前記実施形態では、係合部材４０の先端部４２を略円錐形状としたが、これに限られることはなく、受け部５０の傾斜面５２に対向する面が先端に向けて窄まる（細くなる）テーパー状としたものでもよく、また半円形状や先端に向けて窄まる（細くなる）湾曲面を有する形状としてもよい。
【００６６】
（第３実施形態）
本実施形態では、図１１，図１２，図１３に示すように、前記した受け部５０の代わりに、弾性部材により形成された受け部５０Ａをリール本体１側に設けるとともに、前記した係合部材４０をそのまま用いて、これを前記受け部５０Ａに係止可能な係止部材として機能させるように構成した点が、前記第１，第２実施形態と異なっている。本実施形態における係合部材４０は、特許請求の範囲における係止部材に相当する。
【００６７】
受け部５０Ａは、合成ゴム等の弾性部材からなり、リール本体１のフランジ部１ａに直接被せられるキャップ１ｅの後端周部に外嵌される、リング状を呈している。
ここで、キャップ１ｅは、図１２に示すように、その内周面に形成された雌ねじ１ｆをフランジ部１ａの先端外周に形成された雄ねじ１ｇに螺合することでリール本体１の先端部に固着されている。キャップ１ｅの後端周部には、断面略コ字状の受け溝１ｊが形成されており、この受け溝１ｊ内に受け部５０Ａが収容されて接着剤等により固定されている。なお、受け部５０Ａは受け溝１ｊ内に接着しなくてもよい。
受け部５０Ａは、径方向の断面が四角形状とされており、その径方向外側となる外周面５６ａが係合部材４０の先端部４２に対向するように露出している。受け溝１ｊ内に受け部５０Ａが収容された状態で、外周面５６ａは、前後方向に平らとなるように形成されている。なお、外周面５６ａは、受け溝１ｊ内に受け部５０Ａが収容された状態で、スプール軸９（図１１参照）の軸方向に対して傾斜する角度を有するように形成してもよい。
【００６８】
リール本体１の前後方向において、受け溝１ｊの開口縁には、係合部材４０に向けて前後方向に広がる傾斜状のガイド部５７，５７が形成されている。これらのガイド部５７，５７は、リール本体１側に移動してきた係合部材４０を受け部５０Ａに向けて導くように機能する。
【００６９】
キャップ１ｅの後端部とフランジ部１ａとの間には、シール部材１ｂ（Ｏリング）が介設されており、このシール部材１ｂにより、キャップ１ｅとフランジ部１ａとの間の防水性が確保されている。
【００７０】
次に、以上のような構成を備えた魚釣用スピニングリールの作用について説明する。
仕掛けを投擲するに際して、ベール２ｆおよびベール支持部材２ｄ（２ｅ、図１１参照）が釣糸巻取位置から釣糸放出位置へ反転操作されると、前記した第１実施形態と同様に、揺動部材３２が揺動して係合部材４０の基端部４１に押圧力が付与される。そうすると、係合部材４０は、図１３（ａ）に示す状態から図１３（ｂ）に示す状態に圧縮コイルバネ４４の付勢力に抗してリール本体１側に移動し、先端部４２が受け部５０Ａの外周面５６ａに喰い込むように圧接して、先端部４２が受け部５０Ａに係止される。
これによって、ロータ２に制動力が付与され、ロータ２の不要な回転が防止されて、釣糸ピックアップ位置の変化や釣糸放出操作時のロータ２の回転による誤復帰が解消される。
【００７１】
一方、釣糸放出位置から釣糸巻取位置への反転操作を行うと、揺動部材３２の後端部は、図１３（ｂ）に示す状態から図１３（ｃ）に示す状態に揺動（矢印Ｘ２方向に移動）し、これによって、揺動部材３２の後端部によって係合部材４０が押圧される状態が解除される。
すなわち、係合部材４０は、ベール支持部材２ｄが釣糸巻取位置に反転された際に、圧縮コイルバネ４４の付勢力によって基端部４１が揺動部材３２の凹部３２ａに収容され（逃がされ）、受け部５０Ａから離れる側に移動されることで、受け部５０Ａとの係止が解除される。これによってロータ２に付与されていた制動力がなくなる。
【００７２】
以上説明した本実施形態の魚釣用スピニングリールによれば、ベール支持部材２ｄを反転操作することにより、係合部材４０の先端部４２が受け部５０Ａの外周面５６ａに圧接して係止されるので、ロータ２を好適に制動することができる。
また、前記した第１実施形態と同様に、ロータ２の基部側（後端側）における係合部材４０の張り出しを排除することができるので、ロータ２の基部側（後端側）の形状をこれに合わせて小型化することができ、ロータ２のコンパクト化、ひいては魚釣用スピニングリールのコンパクト化を図ることができる。
【００７３】
また、係合部材４０の先端部４２が受け部５０Ａに圧接されると、受け部５０Ａに対して係合部材４０が喰い込むようにして係止されるので、制動性が高まるという利点も得られる。
しかも、受け部５０Ａに対して係合部材４０が喰い込むようにして係止されるので、受け部５０Ａの圧接される外周面５６ａを、凹凸のない面（周方向に凹凸のない円弧面、前後方向に平らな面）とすることができる（図１２、図１３（ａ）参照）。したがって、前記した第１実施形態の受け部５０に比べて、受け部５０Ａの形状が簡単であり、受け部５０Ａの形成や組み付けが行い易い。
また、弾性部材で形成された受け部５０Ａに対して係合部材４０が係止される構成であるので、受け部５０Ａに対して係合部材４０を圧接させつつ制動力が生じている状態のまま、手動でロータ２を回動させることも可能である。したがって、ベール支持部材２ｄを反転させたまま、ロータ２を回動させて釣糸ピックアップ位置の調整を行うことが可能であり、使い勝手のよい魚釣用スピニングリールが得られる。
【００７４】
また、係合部材４０の先端部４２が先端に向けて先細りとなる形状に形成されているので、係止時には、受け部５０Ａの外周面５６ａを先端部４２が押圧しながら喰い込むようになり、制動性が安定する。また、係止解除時には、先端部４２の前記形状によって、受け部５０Ａから係合部材４０が離脱し易くなり、ベール支持部材２ｄの、釣糸放出位置から釣糸巻取位置への復帰もスムーズとなる。
また、係合部材４０の先端部４２の移動方向が、受け部５０Ａの幅方向（前後方向）ではなく、厚み方向（スプール軸９に直交する方向）であるため、繰り返し操作されても受け部５０Ａが切断されることがない。したがって、受け部５０Ａにリング状の弾性部材を用いることが可能であり、組込性、メンテナンス性、耐久性に優れる。
【００７５】
また、リール本体１の前後方向における受け部５０Ａの両側に、ガイド部５７，５７が設けられているので、ガイド部５７，５７に導かれて係合部材４０の先端部４２が受け部５０Ａに確実に圧接されるようになり、これによって、ロータ２を確実に制動することができる。
また、ガイド部５７，５７はリール本体１の前後方向における受け部５０Ａの両側に設けられているので、例えば、リール本体１の前後方向において係合部材４０と受け部５０Ａとの相対位置にずれが生じた場合にも、係合部材４０を受け部５０Ａに好適に圧接させることができる。
また、係合部材４０の圧接による受け部５０Ａの変形（前後方向の変形）をガイド部５７，５７で好適に抑えることができる。また、係合部材４０に対する受け部５０Ａの反力を高めることができる。したがって、受け部５０Ａから係合部材４０が離脱し易くなり、ベール支持部材２ｄの、釣糸放出位置から釣糸巻取位置への復帰もスムーズとなる。
【００７６】
なお、本実施形態では、ガイド部５７，５７を受け部５０Ａの前後両側に設けたが、これに限られることはなく、いずれか一側にのみ設けてもよい。
また、図１４（ａ）に示すように、受け部５０Ａの外周面５６ａに凹部６０を形成し、この凹部６０の前後側面６１を傾斜状に形成して、前記したガイド部５７と同様の機能を前後側面６１が有するように構成してもよい。この場合、受け部５０Ａをシール部材として機能させることができ、Ｏリング等のシール部材を排除することができる。
また、図１４（ｂ）に示すように、受け部５０Ａを肉厚に形成してキャップ１ｅの後端外周に外嵌させてもよい。この場合、受け部５０Ａの断面形状が肉厚でかつシンプルなものとなるので、受け部５０Ａの形成や組み付けが行い易い。
また、図１４（ｃ）に示すように、係合部材４０の先端部４２を合成ゴム等の弾性部材４６で覆い、これをキャップ１ｅの後端外周面１ｈに圧接して、係合部材４０と後端外周面１ｈとが係止されるように構成してもよい。
【００７７】
さらに、図１４（ｄ）に示すように、受け部５０Ａの外周面５６ａに断面略半円形状の凹部６２を形成するとともに、係合部材４０の先端部４２を、凹部６２内に挿入可能な半球形状に形成して、係合部材４０の先端部４２が凹部６２内に挿入されながら受け部５０Ａに圧接されて係止されるように構成してもよい。この場合、凹部６２に対して係合部材４０の先端部４２が圧入されるように両者の寸法を設定することにより、係合部材４０に対する受け部５０Ａの反力を高めることもでき、制動性を高めることができる。
なお、図１４（ｅ）に示すように、凹部６２を断面略三角形状に形成して、この凹部６２に、係合部材４０の略円錐形状の先端部４２が挿入されて圧接されるように構成してもよい。
また、同様の効果を得られるものとして、合成ゴム等のＯリングをリール本体１の前後方向に２個並べて、前後のＯリング同士の間に係合部材４０の先端部４２が係止されるように構成してもよい。
なお、受け部５０に形成する凹部６２の断面形状は、係合部材４０の先端部４２が挿入されて圧接されるものであれば、任意の形状とすることができる。
また、受け部５０は、弾性部材から形成されたものに限られることはなく、硬質部材によって形成してもよい。この場合、受け部５０と係合部材４０との圧接部位の少なくとも一方に、制動摩擦を生じさせるための手段、例えば、摩擦係数が高くなるような粗面（細かな溝や凹凸等を有する面）を形成してもよい。
【００７８】
また、前記各実施形態において、受け部５０，５０Ａ，５０Ｂは必ずしもリール本体１に直接設けなくてもよく、リール本体１に対して相対位置が固定されるものであれば、間に別部材が介在されてもよい。
【符号の説明】
【００７９】
１      リール本体
２      ロータ
２ｂ，２ｃ    アーム部
２ｄ，２ｅ    ベール支持部材
２ｆ    ベール
２ｇ    釣糸案内部
３      スプール
５      ハンドル
３０    付勢機構
３２    揺動部材（連結部材）
３２ａ  凹部
４０，４０Ａ，４０Ｂ  係合部材
４１    基端部
４２    先端部
５０，５０Ａ，５０Ｂ    受け部
５１ａ  山部（凸状部）
５２    傾斜面（当接面）
【図１】
2011087570.tif 000003
【図２】
2011087570.tif 000004
【図３】
2011087570.tif 000005
【図４】
2011087570.tif 000006
【図５】
2011087570.tif 000007
【図６】
2011087570.tif 000008
【図７】
2011087570.tif 000009
【図８】
2011087570.tif 000010
【図９】
2011087570.tif 000011
【図１０】
2011087570.tif 000012
【図１１】
2011087570.tif 000013
【図１２】
2011087570.tif 000014
【図１３】
2011087570.tif 000015
【図１４】
2011087570.tif 000016